(57)【要約】【課題】押込みボタン操作による入力により医用画像の順送りや逆送りの表示速度を変えたり、表示画像の選択などを可能にした簡便で操作性の良い画像表示装置の提供。【解決手段】複数の画像表示機能に対応した画像表示機能ボタン１３〜１９の押圧により当該画像表示機能に応じた画像表示操作信号を発生させる入力装置１を有し、コンピュータ２が入力装置１により入力された画像表示操作信号に基づいてディスプレイ３の画像表示制御を行う。画像表示機能ボタンは、少なくとも押圧力の調節により画像表示速度を多段階に変える変速ボタン１３を有し、該変速ボタンが多段動作押し型スイッチにより構成されており、画像表示の最大速度時の押圧力を超えた力を受け止めて押し型スイッチを保護するストッパ機構が設けられている。ストッパ機構はキートップ１３を固定した支持板２３が所定以上回動したときその折曲部２３ａが支持板２０に突き当たり停止する。【選択図】            図３
2004181162.tif 000002
【特許請求の範囲】
【請求項１】
１ページ毎の画像データで１つの画像を表示し、該画像が多数ページで構成され、該多数の画像を複数の画像表示機能に応じた画像表示を行う画像表示装置において、
前記複数の画像表示機能に対応した画像表示機能ボタンを有し、前記画像表示機能ボタンの押圧により当該画像表示機能に応じた画像表示操作信号を発生させる入力手段と、
前記入力手段により入力された画像表示操作信号に基づいて画像表示制御を行う制御手段と、
前記制御手段から出力される画像信号に基づいて画像表示を行う表示手段と、を備え、
前記入力手段の画像表示機能ボタンは、少なくとも押圧力の調節により画像表示速度を多段階に変える変速ボタンを有し、該変速ボタンが前記多段動作押し型スイッチにより構成されていると共に、画像表示の最大速度時の押圧力を超えた力を受け止めて前記押し型スイッチを保護するストッパ機構が設けられていることを特徴とする画像表示装置。
【請求項２】
請求項１の記載において、変速ボタンが表示画像を順送りする多段動作押し型スイッチと逆送りする多段動作押し型スイッチを有し、該スイッチがキートップを有するシーソー機構で動作するよう配置されていることを特徴とする画像表示装置。
【請求項３】
請求項１の記載において、変速ボタンが押圧力を電気信号に変換する圧センサで構成されていることを特徴とする画像表示装置。
【請求項４】
請求項１の記載において、変速ボタンが押し型スイッチと押圧力を電気信号に変換する圧センサとを組み合わせて構成されていることを特徴とする画像表示装置。
【請求項５】
請求項１〜４のいずれかの記載において、入力手段の画像表示機能ボタンは異なる複数の画像を表示しているとき、押す毎に表示画像を順次遷移させる選択ボタンを有し、該選択ボタンで選択された画像の表示速度を変速ボタンの操作により表示速度が切替えられることを特徴とする画像表示装置。
【請求項６】
多数ページで構成される画像を複数の画像表示機能に応じた画像表示を行う画像表示装置の入力装置であって、
筐体と、
前記筐体の上面に配置され、押圧により画像表示機能に応じた画像表示操作信号を発生させる複数の画像表示機能ボタンと、を備え、
前記画像表示機能ボタンは、少なくとも押圧力の調節により画像表示速度を多段階に変える変速ボタンを有し、該変速ボタンが多段動作押し型スイッチにより構成し、２つの前記多段動作押し型スイッチをキートップを有するシーソー機構で動作するよう配置し、前記キートップの一方側の押圧により表示画像を順方向に送るときの画像表示速度を変えるための信号を発生させ、前記キートップの他方側の押圧により表示画像を逆方向に送るときの画像表示速度を変えるための信号を発生させると共に、最大表示速度時の押圧力を超えた力を受け止めて前記押し型スイッチを保護するストッパ機構が設けられていることを特徴とする入力装置。
【請求項７】
請求項６の記載において、変速ボタンが押圧力を電気信号に変換する圧センサで構成されていることを特徴とする入力装置。
【請求項８】
請求項６の記載において、変速ボタンが押し型スイッチと押圧力を電気信号に変換する圧センサとを組み合わせて構成されていることを特徴とする入力装置。
【発明の詳細な説明】
【０００１】
【発明の属する技術分野】
本発明は、診断、参照などに利用される医用画像を表示する画像表示装置およびその入力装置に関する。
【０００２】
【従来の技術】
現在、医療現場では、ＣＴ画像、ＭＲ画像、レントゲン画像、造影画像、アンギオ画像、等の医用画像を焼き付けたフィルムが必ず必須として存在している。これらのフィルムは、各種装置で撮影した画像をイメージャーなるフィルムへの画像焼付け装置を用いて各種装置を扱う部署、例えば大規模病院の放射線科が作成し、管理しているのが現状である。作成されたフィルムは、放射線科医により読影され、読影結果はレポートとして各専門医（整形外科、内科、脳神経外科、外科、皮膚科等）へフィルムと一緒に手渡される。各専門医は、フィルムと放射線科医が作成したレポートを基に、診断や治療方針が判断されている。
近時、Ｘ線ＣＴの技術革新により、高い解像度のＣＴ画像が大量かつ短時間に撮影できるようになり、診断等に利用されている。ＣＴ画像の表示装置として、コンピュータを用いてキーボートとマウスの操作によりＣＲＴ等のディスプレイ上に多数のＣＴ画像を、２Ｄ（２次元画像）表示のみならず３Ｄ（３次元画像）表示する装置が製造され、販売されている。
また、マウス、キーボードを用いることなく、断層画像を捲り表示する画像表示装置が、例えば特許文献１に提案されている。特許文献１には、１シリーズの断層画像の表示速度を可変調節つまみのスライド操作により任意に設定する技術が開示されている。
【０００３】
【特許文献１】
特開２００２−１６５７８７
【０００４】
【発明が解決しようとする課題】
ところで、フィルムレスとなると、オペ室での現場、各課外来でも画像データを観る装置が不可欠となる。しかし、それらの現場において、読影するという作業はなく、出来上がってきた医用画像データを参照し、さまざまな判断、診断をくだすところである。たとえば、オペ室においては、オペ患者の実際の血管、臓器、神経、骨等と撮影された医用画像とを見比べながら、術者はさまざまな確認を何度も行う。したがって、そこにあるべき画像表示装置は参照用であって、複雑な操作や解析がなく、操作性を重視した画像表示を行わなければならない。
術者は、衛生な手袋を着用している関係上、各種の医用画像データに基づく画像表示を確実に操作可能な工夫が施された画像表示装置が必要となる。
本発明は、このような問題を解決すべくなされたものであり、押込みボタン操作による入力により医用画像の順送りや逆送りの表示速度を変えたり、表示画像の選択などを可能にした簡便で操作性の良い画像表示装置を提供することを目的とする。
本発明の他の目的は、押込みボタン操作により医用画像の表示速度の設定や表示画像の選択などができ、しかも軽量かつ小型化された画像表示装置のための入力装置を提供することにある。
【０００５】
【課題を解決するための手段】
請求項１の発明は、１ページ毎の画像データで１つの画像を表示し、該画像が多数ページで構成され、該多数の画像を複数の画像表示機能に応じた画像表示を行う画像表示装置において、複数の画像表示機能に対応した画像表示機能ボタンを有し、画像表示機能ボタンの押圧により当該画像表示機能に応じた画像表示操作信号を発生させる入力手段と、入力手段により入力された画像表示操作信号に基づいて画像表示制御を行う制御手段と、制御手段から出力される画像信号に基づいて画像表示を行う表示手段とを備え、入力手段の画像表示機能ボタンは少なくとも押圧力の調節により画像表示速度を多段階に変える変速ボタンを有し、該変速ボタンが多段動作押し型スイッチにより構成されていると共に、画像表示の最大速度時の押圧力を超えた力を受け止めて前記押し型スイッチを保護するストッパ機構が設けられていることを特徴とする。
請求項２の発明は、請求項１の記載において、変速ボタンが表示画像を順送りする多段動作押し型スイッチと逆送りする多段動作押し型スイッチを有し、該スイッチがキートップを有するシーソー機構で動作するよう配置されていることを特徴とする。
請求項３の発明は、請求項１の記載において、変速ボタンが押圧力を電気信号に変換する圧センサで構成されていることを特徴とする。
請求項４の発明は、請求項１の記載において、変速ボタンが押し型スイッチと押圧力を電気信号に変換する圧センサとを組み合わせて構成されていることを特徴とする画像表示装置。
請求項５の発明は、請求項１〜４のいずれかの記載において、入力手段の画像表示機能ボタンは異なる複数の画像を表示しているとき、押す毎に表示画像を順次遷移させる選択ボタンを有し、該選択ボタンで選択された画像の表示速度を変速ボタンの操作により表示速度が切替えられることを特徴とする。
【０００６】
請求項６の発明は、多数ページで構成される画像を複数の画像表示機能に応じた画像表示を行う画像表示装置の入力装置であって、筐体と、筐体の上面に配置され、押圧により画像表示機能に応じた画像表示操作信号を発生させる複数の画像表示機能ボタンとを備え、画像表示機能ボタンは少なくとも押圧力の調節により画像表示速度を多段階に変える変速ボタンを有し、該変速ボタンが多段動作押し型スイッチにより構成し、２つの多段動作押し型スイッチをキートップを有するシーソー機構で動作するよう配置し、キートップの一方側の押圧により表示画像を順方向に送るときの画像表示速度を変えるための信号を発生させ、キートップの他方側の押圧により表示画像を逆方向に送るときの画像表示速度を変えるための信号を発生させると共に、最大表示速度時の押圧力を超えた力を受け止めて押し型スイッチを保護するストッパ機構が設けられていることを特徴とする。
請求項７の発明は、請求項６の記載において、変速ボタンが押圧力を電気信号に変換する圧センサで構成されていることを特徴とする。
請求項８の発明は、請求項６の記載において、変速ボタンが押し型スイッチと押圧力を電気信号に変換する圧センサとを組み合わせて構成されていることを特徴とする。
【０００７】
【発明の作用・効果】
請求項１の発明に係る画像表示装置によれば、画像表示機能ボタンは押圧により医用画像の表示速度の変更、選択などの操作を行うことができるので、操作方向が統一されかつ押し込むという簡便で操作性の良い画像表示が可能となり、又、使用する場所に合わせて必要な画像表示機能ボタンを配置するので、装置構成が簡素化、軽量化かつ小型化ができると共に、各科の外来においてもフィルムのかわりとして、診断の支援に利用可能である。更にストッパ機構により画像表示の最大速度時の押圧力を超えた力が多段動作押し型スイッチに働くことがないから長期に亘って性能が保たれる。
請求項６の発明に係る入力装置によれば、オペ室においては衛生的なビニルで覆われての使用となるため、回転式やスライド式のスイッチの場合はビニルの上からでは操作し辛いが、全て上から押し込むことで動作するので、何等の支障も無く、使用できる。またストッパ機構により請求項１と同様の作用効果が生ずる。
【０００８】
【発明の実施の態様】
本発明の実施例について図面を参照しながら説明する。図１は本発明の画像表示装置のブロック図である。本実施例は、ＣＴ、ＭＲＩで撮影した人体の断層画像などの医用画像をディスプレイに表示する医用画像表示装置に適用したものである。
【０００９】
１ページ毎の画像データで１つの医用画像を表示し、この医用画像が多数ページで構成されている。画像表示装置は、入力手段を構成する入力装置１、制御手段を構成するコンピュータ２、表示手段を構成するディスプレイ３とデータ出力用のプリンタ４とからなる出力装置５、例えばＤＶＤなどに記録された医用画像データを取得する為のデータ読取装置６、他のシステムからネットワークを利用して医用画像データを取得する為のモデム７とから構成されている。各種の医用画像のデータがネットワークで構築されている施設では、ネットワーク通信を用いてデータの転送が行われる。ネットワークが繋がっていない施設では、ＤＶＤ、ＣＤ、メモリーカード等のメディアによるデータの搬送が可能である。その他の付加機器としては、例えばＤＶＤ−ＲＡＭなどのメディアに記録する書込装置が設置される。
【００１０】
図２は入力装置の斜視図、図３は入力装置の断面図である。入力装置１は、底板１０に筐体カバー１１を取り付けた筐体を有し、その筐体カバー１１の内側には各機能ボタンを取り付けた基板１２が固定されている。筐体カバー１１の上面には各種機能ボタンが突出する穴が設けられている。基板１２には変速ボタン１３、ＷＷ可変ボタン１４、ＷＬ可変ボタン１５、参照画面表示ボタン１６、多断面再構成画像表示ボタン（ＭＰＲ）１７、ジョイステック１８が配置されていると共に、その他の画像表示機能ボタンが必要に応じて適宜配置される。
【００１１】
変速ボタン１３は、表示画像を順方向に送るためのスイッチと逆方向に送るためのスイッチから成り、各スイッチは多段階に切り換わる。
ＷＷ可変ボタン１４とＷＬ可変ボタン１５は、それぞれ順送りする手前のボタンと逆送りする奥のボタンで構成されており、ボタンを押すことにより画像のウインドウ値を変更する。ＷＷ可変ボタン１４は、数１０００階調で撮影されたＣＴ画像の中で読影した階調幅（例えば、２００階調）を設定する。ＷＬ可変ボタン１５は、数１０００階調の中で読影したい階調を設定する。これによりＷＬ可変ボタン１５で設定した階調を中心にしてＷＷ可変ボタン１４で設定した階調幅の範囲にあるＣＴ画像が読影可能となる。
【００１２】
参照画面表示ボタン１６は、複数のボタンで構成され、各ボタンには注目する参照画面を送り方向に連続して複数ページ分を一時記憶し、それを任意に再生させることができる。変速ボタン１３にて表示画像を送って停止させ、はじめの注目画像で参照画面表示ボタン１６を一度押し、再び表示画像を送って停止させ、終わりの注目画像で参照画面表示ボタン１６を再度押すことで記憶される。この記憶されている状態は、モニタ上に表示するか、或は入力装置の各ボタン毎にＬＥＤを設け、このＬＥＤの点灯により表示する。また記憶の解除（リセット）は、該当のボタンを長押しし、上記の表示の消去やＬＥＤの消灯によって確認できるよう構成される。
【００１３】
多断面再構成画像表示ボタン（ＭＰＲ）１７は、任意の医用画像の表示からコロナルとサジタル（ＭＰＲ）表示に切替わる。ＭＰＲ表示において、変速ボタン１３を操作することで表示速度を切替えられる。
ジョイステック１８は、説明を省略した画像表示装置の操作画面において、各種の設定や選択などを行う際に使用され、上下左右の操作で選択し、押し下げの操作で決定する。
選択ボタン１９は、異なる２つの画像を表示しているときに押すと、一方の画像から他方の画像に遷移する。この状態において、変速ボタン１３を操作すると表示速度が切替えられる。
【００１４】
次に変速ボタン１３の実施形態を説明する。本実施形態は変速ボタンの機能を実現するための多段動作押し型スイッチの具体例として３段シーソースイッチに適用したものである。３段シーソースイッチの具体例を説明する。図４は３段シーソースイッチの分解斜視図、図５は組立図、図６は断面図である。基板１２に固定される支持板２０には、一対の１段動作押し型スイッチ３０が設けられたスイッチ基板２１の幅間隔で平行に側板２２が立設されており、この側板２１にはキートップ支持板２３の両側方が直角に折り曲げられ、その折曲部２３ａの中央が回動可能に軸支２４されている。キートップ支持板２３の上面には、キートップ２５が固定され、背面にシート材２６に接着された２段動作押し型スイッチ３１が配置されている。キートップ２５の手前または奥側を押下すると、図７に示すように一方のスイッチ３０、３１が押圧力の強さによって順次動作する。そのとき図示の左側の他方のスイッチ３０と３１は離間し、非動作状態となる。
【００１５】
スイッチ３０および３１に過大な押圧力が作用すると壊れる恐れがあるので、キートップ２５の動きを所定の範囲に制限するためのストッパー機構が設けられている。本実施例のストッパー機構は、キートップ支持板２３の折曲部２３ａと支持板２０により構成されている。図８（１）に示す状態でキートップ２５の片側を強く押し込むとキートップ支持板２３が所定以上に回動するとその折曲部２３ａが支持板２０に突き当たり停止する（図８（２）の状態）。
【００１６】
図９は３段シーソースイッチの一方のスイッチ回路を示すもので、各スイッチのＯＮ−ＯＦＦ状態信号をコンピュータ２が取得し、画像表示速度を低速、中速、高速の３段に切替え、画像の表示送りの速さを制御する。画像表示速度は、キートップ２５を押し込む強さ、すなわち押圧力を調節することにより切替えられる。キートップ２５を軽く押すと第１段目のスイッチが動作し、その時の３つのスイッチの状態信号に基づいて画像１枚毎にゆっくりしたページ送り、つまり低速の画像表示が行われる。その状態から押し込むと第２段目のスイッチが動作し、そのときの３つのスイッチの状態信号に基づいて中速の画像表示が行われる。更に押し込むと第３段目のスイッチが動作し、そのときの３つのスイッチの状態信号に基づいて高速の画像表示が行われる。更に押し込むとストッパー機構が働き、それ以上の押圧力が各スイッチに作用しないようになる。
【００１７】
図１０に３段シーソースイッチを用いた画像表示速度の切替えフローの一例を示す。１ページ目の画像が表示されているとき、変速ボタン１３を順送り（手前）の押し込み操作を行うと先ず高速の画像表示であるかを判断する。すなわち手前３段目のスイッチが動作したか否かを判断し、ＹＥＳの場合は、次のページを表示してリターンする。手前３段目のスイッチが動作している間、高速で画像表示が切替えられる。次に中速の画像表示であるかを判断する。すなわち手前２段目のスイッチが動作したか否かを判断し、ＹＥＳの場合は、次のページを表示し、０．１秒待機してリターンする。手前２段目のスイッチが動作している間、０．１秒間隔で画像表示が切替えられる。更に低速の画像表示であるか否かを判断する。すなわち手前１段目のスイッチが動作したか否かを判断し、ＹＥＳの場合は、次のページを表示し１秒待機してリターンする。手前１段目のスイッチが動作している間、１秒間隔で画像表示が切替えられる。順方向に送った表示画像を逆方向に送る操作は変速ボタン１３の奥側を押し込むことにより同様に画像表示速度が切替えられる。
【００１８】
変速ボタンの他の実施例を説明する。図１１は押しボタンスイッチと圧センサを組み合わせた変速ボタンの側面図である。スイッチ基板２１には、圧センサ４０を配置し、キートップ支持板２３に１段動作押しボタンスイッチ４１が設けられている。図１２は押しボタンスイッチと圧センサを組み合わせた構成の一方のスイッチ回路を示すもので、押しボタンスイッチ４１のＯＮ−ＯＦＦ状態信号と圧センサ４０の出力信号をコンピュータ２が取得し、画像表示速度を低速、中速、高速の３段に切替え、画像の表示送りの速さを制御する。コンピュータ２は押しボタンスイッチ４１がＯＦＦからＯＮになったことを確認した後、圧センサ４０の出力を読取る。圧センサ４０のアナログ出力は増幅器３２で増幅され、アナログ・デジタル変換器３３で速度制御に必要なデジタル信号に変換され、コンピュータ２に入力される。
【図面の簡単な説明】
【図１】本発明の画像表示装置のブロック図である。
【図２】入力装置の斜視図である。
【図３】入力装置の断面図である。
【図４】変速ボタンを構成する３段シーソースイッチの分解斜視図である。
【図５】３段シーソースイッチの組立図である。
【図６】３段シーソースイッチの断面図である。
【図７】３段シーソースイッチの押圧時の状態を示す図である。
【図８】３段シーソースイッチのストッパー機構の説明図で、（１）は断面図、（２）はストッパー機構が働いた状態を示す図である。
【図９】３段シーソースイッチの一方のスイッチ回路図である。
【図１０】３段シーソースイッチを用いた画像表示速度の切替えフローの一例を示す図である。
【図１１】変速ボタンの他の実施形態である、押しボタンスイッチと圧センサを組み合わせた構成の側面図である。
【図１２】押しボタンスイッチと圧センサを組み合わせた構成の一方のスイッチ回路図である。
【符号の説明】
１…入力装置、２…コンピュータ、３…ディスプレイ、４…プリンタ、５…出力装置、６…データ読取装置、７…モデム、１０…底板、１１…筐体カバー、１２…基板、１３…変速ボタン、１４…ＷＷ可変ボタン、１５…ＷＬ可変ボタン、１６…参照画面表示ボタン、１７…多断面再構成画像表示ボタン（ＭＰＲ）、１８…ジョイステック、２０…支持板、２１…スイッチ基板、２２…側板、２３…キートップ支持板、２５…キートップ、２６…シート材、３０…１段動作押し型スイッチ、３１…２段動作押し型スイッチ、４０…圧センサ、４１…押しボタンスイッチ。
【図１】
2004181162.tif 000003
【図２】
2004181162.tif 000004
【図３】
2004181162.tif 000005
【図４】
2004181162.tif 000006
【図５】
2004181162.tif 000007
【図６】
2004181162.tif 000008
【図７】
2004181162.tif 000009
【図８】
2004181162.tif 000010
【図９】
2004181162.tif 000011
【図１０】
2004181162.tif 000012
【図１１】
2004181162.tif 000013
【図１２】
2004181162.tif 000014